(57)【要約】【課題】積載トレイから延長された延長トレイに排出シートが積載された際の該延長トレイの変位を抑制してシートの整列性を向上させることができる排出シート積載装置を提供する。【解決手段】排出シート積載装置は、排出されるシート１を積載する積載トレイ１０と、積載トレイ１０から延長可能に積載トレイ１０に収納される延長トレイ１２と、延長トレイ１２に取り付けられ、延長トレイ１２が積載トレイ１０に収納された状態で該延長トレイ１２からシート積載方向の上方向に起立して、排出されるシートの下流端を受け止め、延長トレイ１２が積載トレイ１０から延長された状態で該延長トレイ１２からシート積載方向の下方向に起立して、設置面に当接する起立部材１３ｂと、を備える。【選択図】図２
2010215309.tif 000002
【特許請求の範囲】
【請求項１】
排出されるシートを積載する積載トレイと、
該積載トレイから延長可能に前記積載トレイに収納される延長トレイと、
該延長トレイに取り付けられ、前記延長トレイが前記積載トレイに収納された状態で該延長トレイからシート積載方向の上方向に起立して、排出されるシートの下流端を受け止め、前記延長トレイが前記積載トレイから延長された状態で該延長トレイからシート積載方向の下方向に起立して、設置面に当接する起立部材と、を備える
ことを特徴とする排出シート積載装置。
【請求項２】
前記起立部材は、シート排出方向に互いに離間して複数配置される、
ことを特徴とする請求項１に記載の排出シート積載装置。
【請求項３】
前記延長トレイが前記積載トレイから延長された状態で、複数の前記起立部材のいずれかが、該延長トレイからシート積載方向の上方向に起立して、排出されるシートの下流端を受け止める、
ことを特徴とする請求項２に記載の排出シート積載装置。
【請求項４】
前記起立部材は、前記延長トレイからシート積載方向の上方向に起立する位置と下方向に起立する位置との間で回動可能に該延長トレイに支持される、
ことを特徴とする請求項１〜３のいずれか一項に記載の排出シート積載装置。
【請求項５】
前記延長トレイから起立した状態の前記起立部材のシート排出方向の下流側への回動を規制する規制手段を備える
ことを特徴とする請求項４に記載の排出シート積載装置。
【請求項６】
排出されるシートを積載する積載トレイと、
該積載トレイから延長可能に前記積載トレイに収納される延長トレイと、
該延長トレイに取り付けられ、前記延長トレイが前記積載トレイから延長された状態で該延長トレイからシート積載方向の下方向に起立して、設置面に当接する起立部材を備える  ことを特徴とする排出シート積載装置。
【請求項７】
読取センサにより画像が読み取られた後に排出されるシートを積載する排出シート積載装置を備える画像読取装置であって、
前記排出シート積載装置として、請求項１〜６のいずれか一項に記載の排出シート積載装置が用いられる、
ことを特徴とする画像読取装置。
【発明の詳細な説明】
【技術分野】
【０００１】
本発明は、例えば、スキャナ、ファクシミリ、複写機等の画像読取装置やプリンタ等の画像形成装置に用いられる排出シート積載装置、及び該排出シート積載装置を備える画像読取装置に関する。
【背景技術】
【０００２】
従来のこの種の排出シート積載装置を備える画像読取装置としては、例えば、図７に示すものがある。
【０００３】
この画像読取装置は、給紙トレイ２に積載された複数枚のシート１が給紙口５からフィードローラ３及びリタードローラ４によって一枚ずつ分離されて搬送路に給送され、搬送路に給送されたシート１は、搬送ローラ対６によって下流側に搬送される。
【０００４】
下流側に搬送されたシート１は、読取センサ７，８によって表裏の画像が読み取られ、その後、排紙ローラ対９によって積載トレイ１０に排出される。積載トレイ１０には、長尺のシート１が積載される際のシート１の整列性を向上させる目的で、回動式又はスライド式の延長トレイ１２が取り付けられている（特許文献１）。
【先行技術文献】
【特許文献】
【０００５】
【特許文献１】特開２００４−２５６２８８号公報
【発明の概要】
【発明が解決しようとする課題】
【０００６】
しかし、上記従来の技術では、延長トレイ１２を回動又はスライド操作により積載トレイ１０から延長させた状態で、大量のシート１が積載されると、積載トレイ１０の延長トレイ１２を支持する部位に大きな負荷が加わる。このため、延長トレイ１２が下方向に大きく変位して撓んだ状態となるので、シート１の整列性が低下する。
【０００７】
そこで、本発明は、積載トレイから延長された延長トレイに排出シートが積載された際の該延長トレイの変位を抑制してシートの整列性を向上させることができる排出シート積載装置及び画像読取装置を提供することを目的とする。
【課題を解決するための手段】
【０００８】
上記目的を達成するために、本発明の排出シート積載装置は、排出されるシートを積載する積載トレイと、該積載トレイから延長可能に前記積載トレイに収納される延長トレイと、該延長トレイに取り付けられ、前記延長トレイが前記積載トレイに収納された状態で該延長トレイからシート積載方向の上方向に起立して、排出されるシートの下流端を受け止め、前記延長トレイが前記積載トレイから延長された状態で該延長トレイからシート積載方向の下方向に起立して、設置面に当接する起立部材と、を備えることを特徴とする。
【０００９】
本発明の排出シート積載装置は、排出されるシートを積載する積載トレイと、該積載トレイから延長可能に前記積載トレイに収納される延長トレイと、該延長トレイに取り付けられ、前記延長トレイが前記積載トレイから延長された状態で該延長トレイからシート積載方向の下方向に起立して、設置面に当接する起立部材を備える  ことを特徴とする。
【００１０】
本発明の画像読取装置は、読取センサにより画像が読み取られた後に排出されるシートを積載する排出シート積載装置を備える画像読取装置であって、前記排出シート積載装置として、請求項１〜６のいずれか一項に記載の排出シート積載装置が用いられる、ことを特徴とする。
【発明の効果】
【００１１】
本発明によれば、積載トレイから延長された延長トレイに排出シートが積載された際の該延長トレイの変位を抑制することができるので、シートの整列性を向上させることができる。
【図面の簡単な説明】
【００１２】
【図１】本発明の実施形態の一例である排出シート積載装置を備える画像読取装置を説明するための概略断面図である。
【図２】延長トレイを積載トレイから延長させた状態を示す概略断面図である。
【図３】複数の起立部材の起立方向を変更した場合の例を説明するための概略断面図である。
【図４】複数の起立部材の起立長さを変更した場合の例を説明するための概略断面図である。
【図５】起立部材の支持構造を説明するための拡大断面図である。
【図６】ロック機構の一例を説明するための拡大断面図である。
【図７】従来の排出シート積載装置を備える画像読取装置を説明するための概略断面図である。
【発明を実施するための形態】
【００１３】
以下、本発明の実施形態の一例を図面を参照して説明する。
【００１４】
図１は、本発明の実施形態の一例である排出シート積載装置を備える画像読取装置を説明するための概略断面図である。
【００１５】
図１に示す画像読取装置は、給紙トレイ２に積載された複数枚のシート１が給紙口５からフィードローラ３及びリタードローラ４によって１枚ずつ分離されて搬送路に給送される。
【００１６】
このとき、フィードローラ３がシート１を搬送路に引き込む方向に回転し、同時に、リタードローラ４にも回転力が伝達されるが、リタードローラ４は、シート１を搬送路に引き込む方向とは逆方向に回転しようとする。
【００１７】
但し、リタードローラ４の内部には、トルクリミッタが設けられており、フィードローラ３とリタードローラ４のニップ部に複数枚のシート１が挿入した場合は、フィードローラ３と接していない２枚目以降のシート１がリタードローラ４により押し戻される。
【００１８】
そして、前述したニップ部にシート１が１枚のみとなると、そのシート１の給送に合わせてリタードローラ４はフィードローラ３と連れ回りを開始し、これにより、シート１が１枚ずつ分離されて搬送路に給送される。
【００１９】
搬送路に給送されたシート１は、搬送ローラ対６によって下流側に搬送され、下流側に搬送されたシート１は、読取センサ７，８によって表裏の画像が読み取られた後、排紙ローラ対９によって排紙口１１から積載トレイ１０に排出される。
【００２０】
積載トレイ１０の先端部には、該積載トレイ１０から延長可能な延長トレイ１２が回動可能に支持されている。延長トレイ１２は、回動操作により、積載トレイ１０に収納される位置（図１）と積載トレイ１０から延長される位置（図２）とに配置される。
【００２１】
延長トレイ１２には、シート排出方向に互いに離間して複数配置（図では２つ）された起立部材１３ａ，１３ｂがそれぞれ回動可能に支持されている。起立部材１３ａ，１３ｂは、延長トレイ１２が積載トレイ１０に収納された状態（図１）で、その回動支点が排紙口１１側に配置される。
【００２２】
そして、起立部材１３ａ，１３ｂは、延長トレイ１２の収納孔１２ａ（図５）に収納された状態からシート積載方向の上方向に起立する位置と下方向に起立する位置とに回動可能とされている。
【００２３】
また、延長トレイ１２が積載トレイ１０から延長される位置（図２）に配置されている場合、起立部材１３ａ，１３ｂは、図５に示すように、起立した状態からのシート排出方向の下流側への回動が収納孔１２ａの内壁部１４に当接することにより規制される。
【００２４】
ここで、積載トレイ１０に排出されるシート１の長さが比較的短い場合は、図１に示すように、延長トレイ１２を積載トレイ１０に収納した状態で、シート１の長さ等に応じて例えば起立部材１３ｂをシート積載方向における上方向に起立させる。
【００２５】
これにより、排出されるシート１の下流端が起立部材１３ｂにより受け止められ、シート１が積載された際の整列性が確保される。
【００２６】
なお、延長トレイ１２を積載トレイ１０に収納した状態では、シート１が上方向に起立する起立部材１３ｂ（又は１３ａ）を押し倒す方向に突き当たる。このため、起立した状態の起立部材１３ｂ（又は１３ａ）がシート排出方向の下流側へ回動するのを規制するため、例えば、図６に示すようなロック機構を設けるのが好ましい。なお、図示では起立部材１３ａにロック機構を設けているが、起立部材１３ｂにもロック機構を設けることが好ましい。
【００２７】
このロック機構を構成するために、起立部材１３ａ，１３ｂの基端部に２つの突起１５ａを互いに略１８０°離間させて形成する。そして、起立部材１３ａ，１３ｂがシート積載方向の上方向又は下方向に起立した際に、突起１５ａを収納孔１２ａの内壁部１４に形成した溝部１６ｂに係合させる。これにより、延長トレイ１２が収納状態にあるときの起立部材１３ａ，１３ｂのシート排出方向の下流側への回動をロックする。
【００２８】
一方、積載トレイ１０に排出されるシート１の長さが比較的長い場合は、図２に示すように、延長トレイ１２を回動操作して積載トレイ１０から延長させる。そして、この状態で、シート１の長さ等に応じて例えば起立部材１３ａをシート積載方向の上方向に起立させ、また、起立部材１３ｂをシート積載方向の下方向に起立させて本装置を設置した机等の上面（設置面）に当接させる。
【００２９】
これにより、排出されるシート１の下流端が起立部材１３ａにより受け止められ、また、延長トレイ１２に大量のシート１が積載された際にその荷重が起立部材１３ｂにより支持され、延長トレイ１２の変位が抑制される。
【００３０】
なお、起立部材１３ａ，１３ｂのうち、設置面に当接させる起立部材をどれにするかで延長トレイ１２と画像読取装置の搬送路とのなす角度θが変化するため、排出するシート１の種類により設置面に当接させる起立部材を選択するのが望ましい。
【００３１】
例えば、比較的コシの弱いシート１を排出する際は、図２に示すように、排紙口１１に近い側の起立部材１３ｂを設置面に当接させる。これにより、延長トレイ１２と搬送路とのなす角度θが小さくなり、シート排出時の惰性が弱められて整列性が向上する。
【００３２】
逆に、比較的コシの強いシート材を排出する際は、図３に示すように、排紙口１１から遠い側の起立部材１３ａを設置面に当接させる。これにより、延長トレイ１２と搬送路とのなす角度θが大きくなり、シート排出時の駆動系への負荷やローラ・シート間に生じる滑り等を減らすことができる。
【００３３】
また、排出するシート１の種類が限定される画像読取装置の場合は、図４に示すように、起立部材１３ａ，１３ｂの長さを各々変更して、どの起立部材を設置面に当接させても延長トレイ１２と搬送路との角度θが一定になるようにする。これにより、シートの長さに応じて起立部材１３ａ，１３ｂの使い分けが可能となり、排紙性能が安定する。
【００３４】
以上説明したように、本実施形態では、積載トレイ１０から延長された延長トレイ１２に排出シート１が積載された際に、該延長トレイ１２の変位を抑制することができるので、シート１の整列性を向上させることができる。
【００３５】
なお、本発明の構成は、上記実施形態に例示したものに限定されるものではなく、材質、形状、寸法、形態、数、配置箇所等は、本発明の要旨を逸脱しない範囲において適宜変更可能である。
【００３６】
例えば、上記実施形態では、起立部材１３ａ，１３ｂが排出されるシート１の下流端を受け止める機能と設置面に当接して延長トレイ１２を支持する機能とを兼用する場合を例示したが、これに限定されない。
【００３７】
例えば、積載トレイ１０から延長された状態の延長トレイ１２からシート積載方向の下方向に起立して設置面に当接する専用の起立部材を設けてもよい。
【符号の説明】
【００３８】
１    シート
２    給紙トレイ
３    フィードローラ
４    リタードローラ
５    給紙口
６    搬送ローラ対
７    読取センサ
８    読取センサ
９    排紙ローラ対
１０  積載トレイ
１１  排紙口
１２  延長トレイ
１２ａ  収納孔
１３ａ，１３ｂ  起立部材
１４  内壁部
１５ａ  突起
１５ｂ  溝
【図１】
2010215309.tif 000003
【図２】
2010215309.tif 000004
【図３】
2010215309.tif 000005
【図４】
2010215309.tif 000006
【図５】
2010215309.tif 000007
【図６】
2010215309.tif 000008
【図７】
2010215309.tif 000009